(57)【特許請求の範囲】
【請求項１】
眼瞼内に装用可能な所定の幅を有し、かつ、眼瞼結膜と眼球結膜とが繋がっている部分に沿うような形状を有して、薬剤を供給できるようにした半弧状片からなる収納本体を備え、
前記収納本体は、
眼瞼側に接する面が保持される被保持部を有し、
前記眼瞼側に接する面よりも摩擦係数が小さくなされた眼球側に接する面を有する眼瞼内装用具。
【請求項２】
前記被保持部は、
前記収納本体の外縁部に沿った膨出形状を成して瞼板によって保持される請求項１に記載の眼瞼内装用具。
【請求項３】
前記被保持部は、
前記眼瞼側に接する面が多数の凹凸形状を成す請求項１に記載の眼瞼内装用具。
【請求項４】
前記収納本体には、中空部が設けられ、
前記中空部は、
所定の容量を成す包袋状となされると共に、所定の位置に薬剤を滲出する1以上の開孔部を有する請求項１から３の何れかに記載の眼瞼内装用具。
【請求項５】
前記収納本体は、
含浸構造を成して当該収納本体自身に薬剤を浸み込ませてなる
請求項１から３の何れかに記載の眼瞼内装用具。
【発明の詳細な説明】
【技術分野】
【０００１】
本発明は、眼球及び結膜等を含む部位に薬剤を自動滲出する眼科用ドラッグ・デリバリー・システム（Drug Delivery System：以下ＤＤＳという）に適用して好適な眼瞼内装用具に関するものである。
【背景技術】
【０００２】
近年、国内外で「涙点プラグ型DDS」や、「コンタクトレンズ型DDS」等の開発が進められている。涙点プラグ型DDSは、左右の眼の上下にある涙点に、薬剤を収容したＤＤＳプラグ(以下涙点プラグという)が装用され、当該涙点プラグから薬剤をしみ出させるという方法である（特許文献１から３参照）。
【０００３】
なお、特許文献１から３に開示されるような涙点プラグには、活性剤（薬剤）を収容したものもある。この活性剤を眼内に徐放することで、緑内障などの治療にも利用することが可能になる。
【０００４】
また、特許文献４に記載されるように、コンタクトレンズ型DDSは、コンタクトレンズ本体に薬剤を含浸させて眼内に薬剤を徐放するという方法である。
【０００５】
特許文献５には円弧状の眼科用のＤＤＳデバイスが記載され、当該デバイスを下瞼嚢に装用し、眼球及び結膜等に薬剤を滲出することが記載されている。
【先行技術文献】
【特許文献】
【０００６】
【特許文献１】特開２００８−０４９１２９号公報
【特許文献２】特開２００８−０１８２３４号公報
【特許文献３】特開２００８−００６２８７号公報
【特許文献４】特表２０１２−５１１３９５号公報
【特許文献５】ＵＳ特許  第３９１６８９９号明細書
【発明の概要】
【発明が解決しようとする課題】
【０００７】
ところで、従来例に係る涙点プラグ型DDSやコンタクトレンズ型DDS等の眼瞼内装用具によれば、次のような問題がある。  
（i）特許文献１から３に見られるような涙点プラグ型ＤＤＳによれば、本来、涙液が鼻涙管を通って鼻に抜けるための最初の出口である涙点をふさいでいるので、正常な涙液の流れを妨げてしまう。
【０００８】
（ii）涙点プラグ型ＤＤＳの場合、眼球を動かした際に鼻側でプラグ器具の頭部が角膜と接触することがあるため、異物挿入感を与えることが懸念される。
【０００９】
（iii）特許文献４に見られるようなコンタクトレンズ型DDSの場合、涙が多く出る人、出ない人によって安定した濃度の薬剤を徐放することが難しい。また、薬剤によっては光が直接、コンタクトレンズ型DDS本体の薬剤に照射されることで、薬剤そのものが変質を起こすことも考えられる。
【００１０】
（iv）特許文献５に見られるようなDDSデバイスによれば、何らの工夫無しに当該デバイスを上瞼嚢に装用しようとした場合、デバイス本体の装着姿勢が眼瞼内で不安定となるばかりか、究極、デバイス本体が下眼瞼側にずれ落ちるという問題が懸念される。
【００１１】
そこで、本発明は上述の課題に鑑み創作されたものであり、装用者に対して異物挿入感を与えることなく、眼瞼内に安定して装着できるようにすると共に、従来方式と比べて大容量の薬剤を収納できるようにした眼瞼内装用具を提供することを目的とする。
【課題を解決するための手段】
【００１２】
上述の課題を解決するために、請求項１に係る眼瞼内装用具は、眼瞼内に装用可能な所定の幅を有し、かつ、眼瞼結膜と眼球結膜とが繋がっている部分に沿うような形状を有して、薬剤を供給できるようにした半弧状片からなる収納本体を備え、前記収納本体は、眼瞼側に接する面が保持される被保持部を有し、前記眼瞼側に接する面よりも摩擦係数が小さくなされた眼球側に接する面を有するものである。
【００１３】
請求項１に係る眼瞼内装用具によれば、装用後、被保持部の眼瞼側に接する面が瞼板によって押接されるので、当該被保持部によって収納本体のずれ落ちを防止できるようになる。収納本体の眼球側に接する面は、眼瞼側に接する面よりも摩擦係数を小さくなされるので、装用者に与える異物挿入感を低減することができる。
【００１４】
請求項２に記載の眼瞼内装用具は、請求項１において、被保持部は、収納本体の外縁部に沿った膨出形状を成して瞼板によって保持されるものである。
【００１５】
請求項３に記載の眼瞼内装用具は、請求項１において、被保持部は、眼瞼側に接する面が多数の凹凸形状を成すものである。
【００１６】
請求項４に記載の眼瞼内装用具は、請求項１から３の何れかにおいて、収納本体には中空部が設けられ、当該中空部は、所定の容量を成す包袋状となされると共に、所定の位置に薬剤を滲出する1以上の開孔部を有するものである。
【００１７】
請求項５に記載の眼瞼内装用具は、請求項１から３の何れかにおいて、収納本体が含浸構造を成し、当該収納本体自体に薬剤を浸み込ませてなるものである。
【００１８】
請求項６に記載の眼瞼内装用具は、請求項１から５の何れかにおいて、収納本体の一端に弧状部が延設され、弧状部が下眼瞼側の結膜嚢に装用可能となされるものである。
【発明の効果】
【００１９】
本発明に係る眼瞼内装用具によれば、収納本体自体を眼瞼内に安定して装着できるようになる。しかも、装用者に対して異物挿入感を与えることなく、従来方式と比べて大容量の薬剤を収納できるようになる。部品点数の削減にも繋がる。これにより、高信頼度の汎用型の眼科用のドラック・デリバリー・システム（ＤＤＳ）を提供できるようになる。
【図面の簡単な説明】
【００２０】
【図１】ＡからＣは本発明に係る第１の実施形態としての眼瞼内装用具１００の構成例を示す平面図、Ｘ１−Ｘ１矢視断面図及び底面図である。
【図２】眼瞼内装用具１００の装用例を示す断面図である。
【図３】ＡからＣは装着補助具４００の構成例を示す正面図、平面図及び側面図である。
【図４】ＡおよびＢは眼瞼内装用具１００’の構成例を示す平面図及び正面図である。
【図５】装着補助具４００による眼瞼内装用具１００’の装用例を示す平面図である。
【図６】ＡからＥは第２の実施形態としての眼瞼内装用具２０１の構成例を示す正面図、側面図、平面図、Ｘ２−Ｘ２矢視断面図及び底面図である。
【図７】ＡからＤは眼瞼内装用具２０２の構成例を示す正面図、側面図、平面図及び底面図である。
【図８】Ａ及びＢは眼瞼内装用具２０３の構成例を示す平面図及び底面図である。
【図９】眼瞼内装用具２０１の装用例を示す断面図である。
【図１０】Ａ及びＢは第３の実施形態としての眼瞼内装用具３００の構成例及び装用例を示す平面図である。
【発明を実施するための形態】
【００２１】
続いて、図面を参照しながら本発明に係る眼瞼内装用具について説明をする。
＜第１の実施形態＞  
図１において、眼瞼内装用具１００は、眼瞼内に装用可能な半孤状かつシート状の収納本体１を有しており、収納本体１には中空部２が設けられる。眼瞼内装用具１００は、眼球及び結膜等を含む部位に目薬剤を長時間に渡って自動供給するものである。眼瞼内装用具１００は、本件出願人が別途出願中の眼瞼内装用具のようなＣ形状の基幹本体への装着に依存することなく、収納本体自身を眼瞼結膜嚢深くに装着するものである。
【００２２】
ヒトの結膜は、眼瞼結膜と眼球結膜とに別けられるが、いずれも眼瞼深くで折り返され繋がっている。この部分に沿うような形状が種子状であり、本発明では、収納本体１を種子状に整形している点がその特徴となっている。収納本体１の外観形状としては、目頭側から中空部２が露出しないような形状が好ましい。そこで、本発明では所定の幅の弧状片の一例となる種子状の収納本体１の構造を採っている。中空部２には、所定量の眼科用の薬剤が収容される。
【００２３】
収納本体１は、眼瞼側に接する面が瞼板によって保持される被保持部１ａを有している。例えば図１Ａに示すように、被保持部１ａは、収納本体１の外縁部に沿って設けられた膨出形状を成している。断面は、図１Ｂに示すように例えば、楔形状を成している。この楔形状の懐部位１ｂを眼瞼板で押さえ込むようになされる。この被保持部１ａによって、当該眼瞼内装用具１００を眼瞼内に装用した後、収納本体自体のずれ落ちを防止できるようになる。図１Ｃに示す収納本体１の裏面側は異物挿入感を低減するために、眼瞼側に接する面よりも摩擦係数を小さくする鏡面仕上げ(処理)がなされている。
【００２４】
この例では、図１Ｂに示したように収納本体１の内部を空洞化させて、中空部２を形成することで、薬剤を封入させることが可能となる。例えば、中空部２は、所定の容量を成す包袋状を有し、かつ、所定の位置に薬剤を自動滲出する１以上の開孔部３を有している。開孔部３の口径は、数μｍ〜数１００μｍ程度であり、長時間に渡って薬剤を滲出させるためである。
【００２５】
薬剤の自動滲出については、浸透現象を利用する。浸透現象とは、溶質は通さないが溶媒は通す性質をもつ半透膜を隔てて、濃度の異なる溶液が接した場合、低濃度溶液の溶媒が、高濃度溶液の方に拡散しようとする現象をいう。浸透現象を起こす際の圧力を浸透圧という。例えば、細胞膜で隔てられた濃度の異なる2液間で、濃度の低い方から高い方へ水が移動する力を浸透圧という。
【００２６】
収納本体１の素材としては、例えば、紫外線吸収剤・ブタコラーゲン含有HEMA、架橋アクリルエステル共重合体、紫外線吸収剤含有アクリル−メタクリル架橋共重合体、紫外線吸収性黄色軟質アクリル樹脂、紫外線吸収性高屈折率シリコーン、ポリフッ化ビニリデン（PVDF）、青色光吸収剤：エチルメタクリルアミド系、紫外線・青色光吸収剤含有アクリル樹脂、ポリメチルメタクリレート樹脂等を用いることができる。
【００２７】
［製造方法］
例えば、包袋状の眼瞼内装用具１００を製造する場合、図示しないが、まず、種子状、かつ、膨出形状（被保持部）に象ったキャビティとコアで金型を作成する。次に、無菌状態でシリコーン樹脂の終端エンドレスチューブを金型にセットして、他端からエアーを吹き込んで種子状にバルーン成形する。その後、エアー吹き込み口を閉塞する。薬剤を中空部２に導入する際には、一旦、中空部２内を真空状態に保持し、または、非真空状態の中空部２にその後、薬剤注入用の開口部を形成する。
【００２８】
当該開口部を介して所定量の薬剤を注入し、その後、開口部を栓部材で閉塞する。薬剤は液状、粉末状、ゼリー状等を問わない。そして、所定の位置から薬剤を滲出させための１以上の開孔部３を形成する。栓部材には、収納本体１の素材と同じものが使用できる。これにより、薬剤内包型の眼瞼内装用具１００を形成できるようになる。
【００２９】
収納本体１には、多孔質の素材を用いてもよい。例えば、中空部２に代わって収納本体１が含浸構造を成し、収納本体１に、薬剤を浸み込ませてなるものであってもよい。収納本体１そのものの素材に薬剤を練り込む場合は、空洞化の必要もなく、収納本体１をシート状のまま使用できるため、眼瞼内装用具１００を結膜嚢内に挿入した際に、違和感をより軽減することが可能となる。
【００３０】
［取り扱い方法］
ここで、図２〜図５を参照して、眼瞼内装用具１００の取り扱い方法について説明する。本発明に係る眼瞼内装用具１００の挿入箇所としては、図２に示す装用者の眼の上眼瞼５５側の上瞼嚢５１ａ又は下眼瞼５６側の下瞼嚢５１ｂのいずれに挿入しても良く、治療によっては高い濃度の薬剤が必要な場合、その両方の眼瞼嚢内に挿入することで、薬剤濃度をコントロールすることも可能となる。
【００３１】
図２において、瞼板５２は上眼瞼５５の側で目を閉じたとき、角膜５３の上部を覆う位置に存在している。目を開けたとき、上瞼嚢５１ａの奥の側で、瞼板５２の上端部が収納本体１の懐部位１ｂを止めるように機能する。この機能を利用することで、眼瞼内装用具１００を上瞼嚢５１ａ内に装着できるようになり、眼瞼内装用具１００の収納本体１を瞼板５２で押下できるようにした。
【００３２】
本発明に係る眼瞼内装用具１００には、収納本体１の眼内への装用を容易に行うために、図３Ａに示すピンセット機能を有したＴ型の装着補助具４００が備えられる。装着補助具４００は、例えば全体が樹脂製又はステンレス製の支持部４１ａ，４１ｂ及び、ピンセット構造の保持部４２を有している。図３Ｂに示すように支持部４１ａ，４１ｂは、種子状を有して収納本体１を挟持し支えるものである。支持部４１ｂには断面Ｒ状の返し部４１ｃが設けられ、当該返し部４１ｃで収納本体１の内側周縁部を受け止めるようになされる。
【００３３】
保持部４２はピンセット機構を成す支点部４３及び挟み板状の把持部４２ａ，４２ｂを有しており、支持部４１ａ，４１ｂを保持するようになされる。把持部４２ａには長方形状の開口部４２ｃが設けられ、他方の把持部４２ｂが開口部４２ｃに通されて左右の位置が入れ換えられる。上述の把持部４２ａの先端部位は、返し部４１ｃを有する種子状の支持部４１ｂを成し、把持部４２ｂの先端部位が種子状の支持部４１ａを成している。
【００３４】
図３Ｃに示す装着補助具４００の側面図において、把持部４２ａ，４２ｂの他端は接合されてピンセット構造の支点部４３を成している。把持部４２ａ，４２ｂを左右の外側から内側へ力を入れることで、支持部４１ａ，４１ｂが左右の外側へ開き、眼瞼内装用具１００を挟持できる状態となる。力を除くことで、眼瞼内装用具１００が支持部４１ａ，４１ｂで挟持できるようになる。
【００３５】
例えば、図４Ａの平面図で示すような細長い種子状で、図４Ｂの正面図で示すようなシート状の眼瞼内装用具１００’を図５の平面図に示す眼瞼内に装用する場合である。この場合医師は、図５に示す装着補助具４００の支持部４１ａ，４１ｂで眼瞼内装用具１００’を挟持し、患者の上眼瞼５５内の上瞼嚢５１ａ奥に装着する。その後医師は、把持部４２ａ，４２ｂに力を入れて、装着補助具４００から眼瞼内装用具１００’を外し、装着補助具４００を上瞼嚢５１ａから抜き去る。これにより、眼瞼内装用具１００’を上瞼嚢５１ａ内に装着できるようになる。
【００３６】
このように図１から図５に示した第１の実施形態としての眼瞼内装用具１００，１００’によれば、眼瞼内に装用可能な種子状を有して薬剤を収容する収納本体１を備え、収納本体１は眼瞼側に接する面が瞼板５２によって保持される被保持部１ａを有するものである。
【００３７】
この構造によって、図１０Ｂに示すような小帯５７を回避する凹部の機能に依存することなく、収納本体１自体を眼瞼内に安定して装着できるようになる。小帯５７を回避する部材が不要なので、眼瞼内装用具自体の部品点数の削減にも繋がる。しかも、装用者に対して異物挿入感を与えることなく、従来方式と比べて大容量の薬剤を収納できるようになる。既に市販されている涙点プラグ型に比べ薬剤の量が増やせる。
【００３８】
なお、収納本体１が外部に露出しないため、光による薬剤の変質を防止できる。また、乾燥により薬剤の濃度が変化することがない。更に収納本体１を空洞化させて中空部２を設けたので、既存の液体の薬剤をそのまま使用することができる。これにより、高信頼度の汎用型の眼科用のドラック・デリバリー・システム（ＤＤＳ）を提供できるようになる。
【００３９】
＜第２の実施形態＞
続いて、図６から図９を参照して、第２の実施形態としての眼瞼内装用具２０１〜２０３について説明をする。この実施形態においては、収納本体１を保持するための構造として、膨出形状に限られることなく、滑り止め機能を利用して安定させる方法を採っている。
【００４０】
なお、収納本体２０の角膜５３（図２参照）の表面側の滑り止め機能において、異物挿入感を問題とするのであれば、収納本体２０の眼瞼側に比べて、角膜５３側の面の滑り止め機能を極々弱くする。また、収納本体２０を薄くする。例えば、図６Ａの正面図に示す眼瞼内装用具２０１はシート状の収納本体２０を有しており、装用者の眼瞼側に接する面に滑り止め処理がなされるものである。
【００４１】
図６Ｂに示す側面図において、眼瞼内装用具２０１を側面から見たとき、翼形状を有している。すなわち、図６ＤのＸ２−Ｘ２矢視断面図のように翼形状を有しており、その切断面は翼形状に限らず、落ち難い構造であれば、円形状、楕円形状、長丸形状又は巴形状を有していてもよい。滑り止め処理は、図６Ｃ、図６Ｄに示すように例えば、収納本体２０の一方の面が多数の斜線、波線、直線、幾何学模様、梨地、又はこれらを組み合わせた凹凸（粗面）形状に加工されてなる。この例では、正方形の格子状内に５本の波線が設けられた格子波模様の粗面部２１を有している。粗面部２１は格子点にドットが施されている。滑り難い模様であれば格子点は省略してもよい。なお、図６Ｅに示す収納本体２０の他方の面は、角膜５３（図２参照）の側に接する面となるので鏡面処理がなされている。
【００４２】
眼瞼内装用具２０１によれば、滑り止め加工を施した面と鏡面処理側の面との間の摩擦係数を高め、滑り止め加工を施さない場合に比べて、当該収納本体２０を滑り難くすることができる。従って、角膜５３の外周縁部位と瞼裏側付け根部位の間（眼瞼嚢内）に安定して収納本体２０を装着できるようになる。
【００４３】
また、図７Ａに示す眼瞼内装用具２０２は、収納本体２０を有し、図７Ｂの側面図に示す収納本体２０の側面も翼形状を有している。図７Ｃの平面図に示す収納本体２０の表面の粗面部２２には、梨地やななこ地等が施されている。粗面部２２は、摩擦係数を高くするために設けられる。図７Ｄに示す収納本体２０の裏面側は、眼瞼内装用具２０１と同様にして鏡面処理がなされている。
【００４４】
図８Ａに示す眼瞼内装用具２０３は収納本体２０を有し、この収納本体２０の表面の粗面部２３には、拡散状にグループ化されたなみ線模様が施されている。なみ線の長さは、瞼との摩擦係数を高くするために下方の側が長くなされる。図８Ｂに示すように収納本体２０の裏面側は、図６、７に示した眼瞼内装用具２０１，２０２と同様にして鏡面処理がなされている。
【００４５】
ここで、図９を参照しながら眼瞼内装用具２０１から２０３の装着例について説明する。例えば、眼瞼内装用具２０１の挿入箇所としては、上眼瞼５５内の上瞼嚢５１ａ又は下眼瞼５６内の下瞼嚢５１ｂのいずれに挿入しても良く、治療によっては高い濃度の薬剤が必要な場合、その両方の眼瞼嚢内に挿入することで、薬剤濃度をコントロールすることも可能となる。眼瞼内装用具２０１の装着には、上述したように装着補助具４００を用いることができる。
【００４６】
上眼瞼５５の側で目を開けたり閉じたりするとき、上瞼嚢５１ａの奥の側で、上眼瞼５５が収納本体２０の粗面部２１を保持するので、収納本体２０を滑り落ちないように機能する。また、収納本体２０の眼球側は、鏡面処理がなされているため、眼球を傷つけることはない。これにより、眼瞼内装用具２０１を結膜嚢５１内に装着できるようになる。なお、眼瞼内装用具２０１は下瞼嚢５１ｂの側に装着してもよい。
【００４７】
このように第２の実施形態としての眼瞼内装用具２０１〜２０３によれば、眼瞼内に装用可能な種子状を有して薬剤を収容する収納本体２０を備え、装用者の眼瞼側に接する面に滑り止め処理がなされるものである。
【００４８】
この構造によって、図１０Ｂに示すような小帯５７を回避する凹部の機能に依存することなく、収納本体１自体を眼瞼内に安定して装着できるようになる。しかも、装用者に対して異物挿入感を与えることなく、従来方式と比べて大容量の薬剤を収納できるようになる。第１の実施形態と同様にして、涙点プラグ型に比べ薬剤の量が増やせるため、効能期間を長く延ばせる。小帯５７を回避する部材が不要なので、眼瞼内装用具自体の部品点数の削減にも繋がる。これにより、第１の実施形態と同様にして高信頼度の汎用型の眼科用のドラック・デリバリー・システム（ＤＤＳ）を提供できるようになる。
【００４９】
なお、図４、５で説明した眼瞼内装用具１００’には、第１の実施形態に係る眼瞼内装用具１００の他、第２の実施形態で説明した眼瞼内装用具２０１〜２０３を含むものである。
【００５０】
＜第３の実施形態＞
続いて、図１０を参照して、第３の実施形態としての眼瞼内装用具３００の構成例について説明をする。眼瞼内装用具３００は、収納本体３１を有する。収納本体３１には、その外縁部に沿って設けられた被保持部３１ａ及び中空部３２が設けられる。被保持部３１ａは、上瞼嚢５１ａ内に装着した際に瞼板（これらの図に示さない）により保持される膨出形状を成している。中空部３２には、開孔部３３が設けられ、薬剤が滲出可能となされている。この収納本体３１の一端には、弧状部３４が延設され、弧状部３４が下眼瞼５６の側の下瞼嚢５１ｂに装用可能となされている。この弧状部３４の円弧形状は、収納本体３１が結膜嚢５１内で回転することを防ぐ役割も兼ねているため、被保持部３１ａと協働して、より安定した位置で、装用姿勢を維持できるようになる。
【００５１】
眼瞼内装用具３００では、図１０Ｂに示す眼瞼内への装用後、下瞼嚢５１ｂの側から上瞼嚢５１ａの側へある程度のテンションに依存して収納本体３１を支えるようになる。また、テンションの支点部を成す位置であって、弧状部３４の始点部位には凹部３５が設けられ、小帯５７を回避するようになされる。なお、弧状部３４の一端は、眼内を傷付けないように丸み加工処理が施されている。
【００５２】
また、図１０Ｂの二点鎖線に示すように、上述の弧状部３４の端部を収納本体３１の端部と対峙する位置まで延在すれば、眼瞼内で収納本体３１の装着姿勢を最も安定させることができる。好ましくは、収納本体３１と中空部３２と弧状部３４と凹部３５とを一体整形するとよい。これにより、第１の実施形態で説明したような被保持部１ａ（図１参照）や、第２の実施形態で説明した滑り止め機能等を省略することができる。
【００５３】
このように、第３の実施形態としての眼瞼内装用具３００によれば、収納本体３１の一端に略半円弧の弧状部３４が延設され、眼瞼内への装用後、下瞼嚢５１ｂの側から上瞼嚢５１ａの側へある程度のテンションに依存して収納本体３１を支えるようになされる。
【００５４】
この構成によって、第１の実施形態と比較して、収納本体３１が上眼瞼５５の上瞼嚢５１ａ内の深い位置において、滑り止め機能に依存することなく、収納本体３１を結膜嚢５１内に安定させることができる。もちろん、眼瞼内装用具３００は上下を反転して使用してもよい。
【００５５】
また、第１及び第２の実施形態と同様にして中空部３２で露出する箇所が無いため、光による薬剤の変質を防止できるようになる。また、眼瞼内装用具３００が結膜嚢５１の奥深く内に装用され、中空部３２が直接乾燥することも防げるため、安定した濃度の薬剤を送達することが可能となる。これにより、第１及び第２の実施形態と同様にして大容量の眼科用のＤＤＳを提供できるようになる。
【産業上の利用可能性】
【００５６】
本発明は、眼球及び結膜等を含む部位に目薬液を自動供給する眼科用のＤＤＳデバイスに適用して極めて好適である。
【符号の説明】
【００５７】
１，２０，３１  収納本体
１ａ，３１ａ  被保持部
２，３２  中空部
３，３３  開孔部
２１，２２，２３  粗面部
３４  弧状部  
１００，２０１〜２０３，３００  眼瞼内装用具
【要約】
【課題】装用者に対して異物挿入感を与えることなく、眼瞼内に安定して装着できるようにすると共に、従来方式と比べて、大容量の薬剤を収納できるようにする。
【解決手段】眼瞼内装用具１００は、眼瞼内に装用可能な所定の幅の種子状片を成して、薬剤を収容する収納本体１を備える。収納本体１は、眼瞼側に接する面が瞼板５２によって保持可能な被保持部１ａを有するものである。
【選択図】  図２【図１】
0005671183.tif 000002
【図２】
0005671183.tif 000003
【図４】
0005671183.tif 000004
【図５】
0005671183.tif 000005
【図９】
0005671183.tif 000006
【図１０】
0005671183.tif 000007
【図３】
0005671183.tif 000008
【図６】
0005671183.tif 000009
【図７】
0005671183.tif 000010
【図８】
0005671183.tif 000011